(57)【要約】【課題】簡易な構造でありながら、防眩性に優れて、かつ広い範囲を均等な明るさで照明可能な放光部材および採光システムを提供する。【解決手段】放光部材は、採り込んだ光を反射させて所定方向に導光する導光部と、導光部の光出射口とは異なる方向に配置され、導光部を通過した光の進行方向を変化させて出射する光取り出し部と、を備える。光取り出し部は、離隔して配置されてそれぞれが導光部を通過した光を拡散させる複数の拡散部材を有する。【選択図】図１
2017130308.tif 000002
【特許請求の範囲】
【請求項１】
採り込んだ光を反射させて所定方向に導光する導光部と、
前記導光部の光出射口とは異なる方向に配置され、前記導光部を通過した光の進行方向を変化させて出射する光取り出し部と、を備え、
前記光取り出し部は、離隔して配置されてそれぞれが前記導光部を通過した光を拡散させる複数の拡散部材を有する放光部材。
【請求項２】
前記導光部の内壁面は、採り込んだ光を反射させる鏡面であり、
前記複数の拡散部材は、前記鏡面の一部領域の面方向に沿って、離隔して配置されている請求項１に記載の放光部材。
【請求項３】
前記導光部の光出射口の一部に取り付けられ、前記光出射口から出射された光を拡散させる拡散反射面を備え、
前記複数の拡散部材は、前記光出射口から出射された光と、前記拡散反射面にて拡散された光との少なくとも一方を拡散させる請求項１または２に記載の放光部材。
【請求項４】
前記導光部と前記拡散反射面との接続箇所を通って任意の前記拡散部材に入射される光の入射角度をθ、隣接する２つの前記拡散部材の間隔をＰ、前記拡散部材の高さをＨとしたときに、以下の（１）式を満たすように、前記複数の拡散部材における前記間隔Ｐと前記高さＨとが設定される請求項１乃至３のいずれか１項に記載の放光部材。
Ｐ／Ｈ≦ｔａｎθ    …（１）
【請求項５】
前記複数の拡散部材の少なくとも一部は、前記導光部の内壁面の一部領域の面方向およびその法線方向のいずれに対しても、傾斜して配置される請求項４に記載の放光部材。
【請求項６】
前記拡散反射面は、折れ面または曲面である請求項３乃至５のいずれか１項に記載の放光部材。
【請求項７】
前記複数の拡散部材の一部は、前記導光部と前記拡散反射面との接続箇所に対向するように配置されており、
前記複数の拡散部材のうち、前記導光部と前記拡散反射面との接続箇所に対向する位置付近から前記導光部側に配置された前記拡散部材は、前記導光部の内壁面の一部領域の面方向およびその法線方向のいずれに対しても、傾斜して配置される請求項３乃至６のいずれか１項に記載の放光部材。
【請求項８】
前記複数の拡散部材のうち、前記導光部により近い側に配置される前記拡散部材は、前記導光部からより遠い側に配置される前記拡散部材よりも、光の取り出し方向において長い請求項１乃至７のいずれか１項に記載の放光部材。
【請求項９】
前記拡散反射面は、部分的に光学特性を変えて描画される模様を有する請求項１乃至８のいずれか１項に記載の放光部材。
【請求項１０】
光を採り込む採光部を備え、
請求項１乃至９のいずれか１項に記載の放光部材における前記導光部は、前記採光部で採り込んだ光を前記所定方向に導光する採光システム。
【発明の詳細な説明】
【技術分野】
【０００１】
本発明は、放光部材および採光システムに関する。
【背景技術】
【０００２】
自然光を積極的に採光に利用することで、二酸化炭素の発生量を削減して、省エネルギー化を図る技術が注目を浴びている。
【０００３】
この技術の一つとして、外光を屋内の所定の空間まで導光する光ダクトが知られている（特許文献１，２参照）。光ダクトは、その内壁面が鏡面になっており、光ダクト内に採り込んだ外光を内壁面で反射させながら光出射口まで導光する。ところが、太陽光は平行光であるため、光ダクトの光出射口から出射された光が当たる領域は限られており、スポット的な照明しかできない。また、この光出射口の近くにいる人間は、太陽光を直視する場合と同様の眩しさを覚えてしまう。また、配向分布が出射軸に対して対称にならないので照明として不自然となる。
【０００４】
このような問題を解決するために、特許文献１では、光ダクトの光出射口に光拡散板とルーバを設けて光を拡散させる技術が開示されている。
【先行技術文献】
【特許文献】
【０００５】
【特許文献１】特開２０１０−２２５３５２号公報
【特許文献２】特開昭５８−１５８８０１号公報
【発明の概要】
【発明が解決しようとする課題】
【０００６】
ところが、特許文献１は、光出射口の光拡散板とは別に、光出射口に近接した光ダクトの内壁面にも光拡散板を設けており、構造が複雑になり、部材コストも上昇する。また、特許文献１では、上方から下方に一方向に延びる光ダクトを念頭に置いており、採光口の直下に光を採り入れることはできても、採光口から離れた場所を照明することはできない。
【０００７】
一方、特許文献２には、採光窓から床下面と天井裏面との間を通って水平方向に延びる光ダクトを設けて、天井面に設置したルーバを介して居住域に光を導入する技術が開示されている。特許文献２では、ルーバに面して設けられる拡散板で光を拡散させており、ルーバは光の進行方向を切り替えているにすぎない。すなわち、特許文献２では、光を拡散させた後に、ルーバで光の進行方向を切り替えており、拡散光のうち一部はルーバを通過しないことから、光の利用効率がよいとは言えない。
【０００８】
本発明は、上述した課題を解決するためのものであり、その目的は、簡易な構造でありながら、防眩性に優れて、かつ広い範囲を均等な明るさで照明可能な放光部材および採光システムを提供するものである。
【課題を解決するための手段】
【０００９】
上記の課題を解決するために、本発明の一態様では、採り込んだ光を反射させて所定方向に導光する導光部と、
前記導光部の光出射口とは異なる方向に配置され、前記導光部を通過した光の進行方向を変化させて出射する光取り出し部と、を備え、
前記光取り出し部は、離隔して配置されてそれぞれが前記導光部を通過した光を拡散させる複数の拡散部材を有する放光部材が提供される。
【００１０】
前記導光部の内壁面は、採り込んだ光を反射させる鏡面であり、
前記複数の拡散部材は、前記鏡面の一部領域の面方向に沿って、離隔して配置されていてもよい。
【００１１】
前記導光部の光出射口の出射側に取り付けられ、前記光出射口から出射された光を拡散させる拡散反射面を備え、
前記複数の拡散部材は、前記光出射口から出射された光と、前記拡散反射面にて拡散された光との少なくとも一方を拡散させてもよい。
【００１２】
前記導光部と前記拡散反射面との接続箇所を通って任意の前記拡散部材に入射される光の入射角度をθ、隣接する２つの前記拡散部材の間隔をＰ、前記拡散部材の高さをＨとしたときに、以下の（１）式を満たすように、前記複数の拡散部材における前記間隔Ｐと前記高さＨとが設定されてもよい。
Ｐ／Ｈ≦ｔａｎθ    …（１）
【００１３】
前記複数の拡散部材の少なくとも一部は、前記導光部の内壁面の一部領域の面方向およびその法線方向のいずれに対しても、傾斜して配置されてもよい。
【００１４】
前記拡散反射面は、折れ面または曲面であってもよい。
【００１５】
前記複数の拡散部材の一部は、前記導光部と前記拡散反射面との接続箇所に対向するように配置されていてもよく、
前記複数の拡散部材のうち、前記導光部と前記拡散反射面との接続箇所に対向する位置付近から前記導光部側に配置された前記拡散部材は、前記導光部の内壁面の一部領域の面方向およびその法線方向のいずれに対しても、傾斜して配置されてもよい。
【００１６】
前記複数の拡散部材のうち、前記導光部により近い側に配置される前記拡散部材は、前記導光部からより遠い側に配置される前記拡散部材よりも、光の取り出し方向において長くてもよい。
【００１７】
前記拡散反射面は、部分的に光学特性を変えて描画される模様を有していてもよい。
【００１８】
光を採り込む採光部を備え、
上述した放光部材における前記導光部は、前記採光部で採り込んだ光を前記所定方向に導光してもよい。
【発明の効果】
【００１９】
本発明によれば、簡易な構造でありながら、防眩性に優れて、かつ広い範囲を均等な明るさで照明可能な放光部材および採光システムを提供できる。
【図面の簡単な説明】
【００２０】
【図１】放光部材の横断面図。
【図２Ａ】光取り出し部を図１の下方から見た平面図。
【図２Ｂ】光取り出し部の一変形例を示す平面図。
【図３】拡散部材で光が拡散される様子を示す図。
【図４】拡散部材のピッチと高さを説明する図。
【図５】拡散部材のピッチと高さを説明する図。
【図６】接続点を通過する光の進行方向を説明する図。
【図７】拡散部材を斜めに配置した例を示す図。
【図８】接続点から導光部側まで拡散部材を配置した例を示す図。
【図９Ａ】拡散反射面の断面形状が折れ面形状の例を示す図。
【図９Ｂ】拡散反射面の断面形状が曲面形状の例を示す図。
【図９Ｃ】拡散反射面の一面と光取り出し部との距離が導光部からの距離によらず常に一定である例を示す図。
【図１０】導光部から遠くなるほど拡散部材の高さＨを低くした放光部材１の断面図。
【図１１Ａ】本実施形態に係る放光部材を備えた採光システムの概略構成を示す図。
【図１１Ｂ】本実施形態に係る放光部材を備えた採光システムの概略構成を示す図。
【図１２Ａ】第１実施例に係る放光部材の斜視図。
【図１２Ｂ】第１実施例による拡散部材のピッチと高さの大きさを示す図。
【図１３】図１２ＡにおけるＡ，Ｂ，Ｃ点を通過する光の特性を示す図。
【図１４】第２実施例に係る放光部材１の斜視図。
【発明を実施するための形態】
【００２１】
以下、図面を参照して本発明の一実施形態について説明する。なお、本件明細書に添付する図面においては、図示と理解のしやすさの便宜上、適宜縮尺および縦横の寸法比等を、実物のそれらから変更し誇張してある。図１〜図１４は、本発明による一実施の形態を説明するための図である。
【００２２】
なお、本明細書において、「パネル」、「板」、「シート」、「フィルム」等の用語は、呼称の違いのみに基づいて、それぞれ区別されるものではない。したがって、例えば、「パネル」は板、シート、フィルムとも呼ばれ得るような部材も含む概念である。一具体例として、「採光パネル」には、「採光板」、「採光シート」、「採光フィルム」等と呼ばれる部材も含まれる。
【００２３】
一実施形態に係る放光部材および採光システム１は、建物１２の建設時、あるいは建設後に取り付けられるものであって、光を取り込んで所定の空間、例えば建物１２内の部屋に導くためのものである。
【００２４】
図１は放光部材１の横断面図である。図１に示す放光部材１は、導光部２と光取り出し部３とを備えている。導光部２は、採り込んだ光を反射させて所定方向に導光する。導光部２の断面形状は特に問わず、円形や矩形などである。導光部２の内壁面は、鏡面となっており、導光部２の内部を通過する光がその内壁面に入射されると、正反射する。このように、導光部２は、光入射口２ａから入射された光を、その長手方向に沿って、内壁面で反射させて、あるいは内部をそのまま通過させて、光出射口２ｂまで導光する。
【００２５】
図１の導光部２は、Ｘ方向に沿って延びており、Ｘ方向に光を導光する。Ｘ方向は例えば水平方向であり、Ｘ方向に直交するＹ方向は鉛直方向である。なお、Ｘ方向は必ずしも水平方向とは限らない。例えば、Ｘ方向が鉛直方向で、Ｙ方向が水平方向でもよいし、Ｘ方向とＹ方向がそれぞれ、水平方向と鉛直方向から傾斜した方向でもよい。以下では、Ｘ方向が水平方向で、Ｙ方向が鉛直方向の例を説明する。
【００２６】
光取り出し部３は、導光部２の光出射口２ｂとは異なる方向に配置され、導光部２を通過した光の進行方向を変化させて出射する。光取り出し部３は、離隔して配置されてそれぞれが導光部２を通過した光を拡散させる複数の拡散部材４を有する。
【００２７】
光取り出し部３における複数の拡散部材４は、導光部２の内壁面の一部領域の面方向に沿って配置されている。光取り出し部３の具体的な形状は特に問わない。図２Ａおよび図２Ｂは光取り出し部３を図１の下方から見た平面図である。図２Ａの光取り出し部３が円環形状の例を示しており、複数の拡散部材４は円環部分を掛け渡すように配置されている。一方、図２Ｂは光取り出し部３が矩形形状の例を示しており、矩形の対向する２辺を掛け渡すように複数の拡散部材４が配置されている。図２Ａの場合は複数の拡散部材４の長手方向の長さが変化するが、図２Ｂの場合は複数の拡散部材４は均一の長さを有する。
【００２８】
この他、図１の放光部材１は、導光部２の光出射口２ｂの出射側に取り付けられた拡散反射面５を有する。拡散反射面５は、必須の構成部材ではないが、導光部２の光出射口２ｂから出射された光を効率的に複数の拡散部材４の方向に導光するために設けられている。拡散反射面５は、例えば、鋼板等の薄板の内壁面に設けられている。導光部２の光出射口２ｂから出射された光の少なくとも一部は、拡散反射面５に入射されて拡散され、光取り出し部３に入射される。光取り出し部３に設けられた複数の拡散部材４は、入射された光を拡散させて、広い範囲に光を出射する。これにより、光取り出し部３から出射される光は、周囲の広い範囲に広がることになり、広い範囲を明るく照明できるとともに、眩しさを感じさせるおそれがなくなる。また、光取り出し部３の全面に均一に光を導くことができる。
【００２９】
図３は拡散部材４で光が拡散される様子を示す図である。図３に示すように、拡散部材４は、入射された光を所定の範囲に拡散させる。一つの拡散部材４で拡散された光の少なくとも一部は、隣接する別の拡散部材４に入射され、この拡散部材４でも所定の範囲に拡散される。このように、一つの拡散部材４に入射された光の少なくとも一部は、隣接する２つの拡散部材４の間で複数回の拡散反射を繰り返した後に、光取り出し部３から出射される。これにより、光取り出し部３から出射される光の出射方向が広くなる。
【００３０】
拡散部材４は、例えば、金属等からなる薄板状のベース部材の両面を拡散反射材料で覆ったものである。拡散反射材料としては、例えば白色ＰＥＴ（ポリエチレンテレフタレート）などを用いることができる。また、ベース部材自体を拡散反射性の材料で形成して、拡散部材４を単一層構造にしてもよい。もしくはベース部材の両面に、白色顔料を分散した樹脂などの拡散材料を塗布してもよい。
【００３１】
拡散反射面５を設けることで、導光部２から出射された光を光取り出し部３に効率よく導光できる。拡散反射面５は、拡散反射機能を有する光学フィルム等の着脱が容易な光学部材で構成してもよい。
【００３２】
図４〜図６は拡散部材４のピッチＰと拡散部材４の高さＨとの関係を説明する図である。ここで、拡散部材４のピッチＰとは、図５に示すように、隣接する２つの拡散部材４のうち一方の一端面から他方の一端面までの最短距離である。また、拡散部材４の高さＨとは、拡散部材４のｙ方向の長さである。
【００３３】
図６では、導光部２と拡散反射面５との接続点をＱ点としている。実際には、導光部２と拡散反射面５との接続箇所は線状に延びているが、そのうちの１点を接続点Ｑとしている。すなわち、図４は接続点Ｑを通る導光部２と拡散反射面５の断面を示している。
【００３４】
図４と図６では、導光部２を通過して接続点Ｑで反射された光が光取り出し部３内の任意の拡散部材４に入射されたときの入射角度をθとしている。この入射角度は、接続点Ｑで反射された光の進行方向とＹ方向との為す角度である。入射角度θは、接続点Ｑで反射されて、接続点Ｑに最も近い拡散部材４に入射された光において最小角度となる。また、入射角度θは、接続点Ｑで反射されて、接続点Ｑから最も遠方の拡散部材４に入射された光において最大角度となる。
【００３５】
導光部２の光出射口２ｂから出射される光は、接続点Ｑで反射された光よりも浅い角度、すなわち、接続点Ｑで反射された光よりも水平（Ｘ方向）により近い角度で、光取り出し部３に入射される。よって、本明細書では、接続点Ｑで反射された光を、導光部２から出射される限界光線と呼ぶことにする。
【００３６】
導光部２から出射されて任意の拡散部材４に入射される光の入射角度θ１は、限界光線の入射角度θ以上であるから、もし限界光線が拡散部材４に入射されるなら、導光部２から出射された光は必ず、いずれかの拡散部材４に入射されることになる。よって、導光部２から出射された光がいずれかの拡散部材４に入射されるには、拡散部材４のピッチＰと高さＨが以下の（１）式の関係を満たす必要がある。
【００３７】
Ｐ／Ｈ≦ｔａｎθ    …（１）
【００３８】
導光部２から出射された光が入射される拡散部材４と接続点までのＸ方向の距離をｘ、導光部２の幅をＴとすると、上述したｔａｎθは、図６に示すように、以下の（２）式で表される。
【００３９】
ｔａｎθ＝ｘ／Ｔ    …（２）
【００４０】
光取り出し部３内の複数の拡散部材４のそれぞれについて、（２）式によりｔａｎθを求めることができる。導光部２の幅Ｔは常に一定であり、距離ｘが拡散部材４の位置によって異なる。ｔａｎθが最小になるのは、θが最小になるときであり、導光部２に最も近い拡散部材４に光が入射される場合である。また、ｔａｎθが最大になるのは、θが最大になるときであり、導光部２から最も遠い拡散部材４に光が入射される場合である。
【００４１】
よって、ｔａｎθは、拡散部材４の位置によって、ある範囲内で変わりうる値である。よって、ｔａｎθの最大値と最小値の範囲内で、Ｐ／Ｈがｔａｎθ以下になるように、拡散部材４のピッチＰと高さＨを設定すれば、導光部２から出射された光は、いずれかの拡散部材４に入射されることになり、隣接する２つの拡散部材４の間をすり抜けるおそれを回避できる。
【００４２】
図１〜図５では、光取り出し部３内の複数の拡散部材４がＸ方向に沿って離隔して配置され、各拡散部材４はＹ方向に延びている例を示したが、図７に示すように、少なくとも一部の拡散部材４は、Ｙ方向から傾斜して延びていてもよい。図７の各拡散部材４は、Ｙ方向に対して時計回りに鋭角の角度で傾斜して配置されている。この場合もピッチＰを本図のように定義すれば（１）式は有効である。これにより、Ｘ方向に隣接する２つの拡散部材４同士のピッチＰはより小さくなり、２つの拡散部材４の間の隙間を光がよりすり抜けにくくなる。
【００４３】
なお、図７とは逆の方向に各拡散部材４が傾斜している場合、すなわち、各拡散部材４が、Ｙ方向に対して反時計回りに鋭角の角度で傾斜して配置されている場合は、導光部２から出射された光の進行方向に近い角度で傾斜することになり、２つの拡散部材４の間の隙間を光がすり抜けやすくなる。よって、導光部２から出射される光の進行方向に合わせて、各拡散部材４の傾斜方向を設定するのが望ましい。
【００４４】
図１〜図７では、導光部２と拡散反射面５との接続点Ｑよりも拡散反射面５側に複数の拡散部材４が配置されている例を示したが、図８に示すように、導光部２と拡散反射面５との接続点Ｑよりも導光部２側にも一部の拡散部材４が配置されている場合も考えられる。この領域では、実質的にθが０となり、拡散部材４の間の隙間を光がすり抜けやすくなる。この場合、接続点Ｑの付近から導光部２側に配置された拡散部材４と、接続点Ｑの付近よりも拡散反射面５側に配置された拡散部材４とで、拡散部材４の傾斜方向を相違させてもよい。図８の場合、接続点Ｑの付近から導光部２側に配置された拡散部材４は図７と同様に傾斜させ、接続点Ｑの付近よりも拡散反射面５側に配置された拡散部材４を図１と同様にＹ方向に配置した例を示している。特に拡散部材４をＹ方向から見て重なる程度に傾けるとＰが０となり、拡散部材４の間の隙間を光がすり抜けなくなる。（１）式を満たすとみなせる。
【００４５】
接続点Ｑ付近から導光部２側に配置された拡散部材４を図７と同様に傾斜させることで、隣接する２つの拡散部材４間のピッチを実質的に小さくすることができ、導光部２の接続点Ｑ付近で反射された光が拡散部材４間をすり抜けるおそれがなくなる。また、接続点Ｑの付近よりも拡散反射面５側に配置された拡散部材４がＹ方向に延びていても、導光部２から出射された光は斜めに進行するため、上述した（１）式を満たすように拡散部材４のピッチＰと高さＨを設定すれば、隣接する２つの拡散部材４の間をすり抜ける光を防止できる。
【００４６】
なお、図８では、接続点Ｑの位置を基点として、拡散部材４の傾斜角度を２通りに切り替える例を示したが、拡散部材４の傾斜角度を３通り以上に切り替えてもよい。
【００４７】
図１〜図８では、拡散反射面５の断面が直線状であり、導光板から遠ざかるにつれて、拡散反射面５と光取り出し部３との距離が連続的に短くなる例を示したが、拡散反射面５の断面形状は、必ずしも直線状には限定されない。図９Ａは拡散反射面５の断面形状が折れ面形状の例、図９Ｂは曲面形状の例を示している。また、図９Ｃは拡散反射面５と光取り出し部３との距離が導光部２からの距離によらず常に一定である例を示している。
【００４８】
図９Ａ〜図９Ｃのいずれにおいても、導光部２から出射された光の多くは、拡散反射面５で拡散反射されて、任意の拡散部材４に入射され、拡散部材４でさらに拡散反射されて、光取り出し部３から広い角度範囲に出射される。
【００４９】
光取り出し部３のうち、導光部２に遠いところから近くに進むにつれてθは小さくなる。ピッチＰと高さＨが一定であれば、導光部２に近いほうは（１）式を満たさなくなる。
【００５０】
そこで、図１０は導光部２から遠くなるほど拡散部材４の高さＨを低くした放光部材１の断面図である。図１０の場合、導光部２に近づくほど拡散部材４の高さＨが次第に高くなるため、導光部２の全面で（１）式を満たす。また、連続的に変化するため光学特性に境目がでにくい。高さＨ一定でピッチＰを変えてもよく、両方変えてもよい。
【００５１】
図１１Ａおよび図１１Ｂは、本実施形態に係る方向部材を備えた採光システム１１の概略構成を示す図である。図１１Ａの採光システム１１は、家屋１２の屋根に取り付けられた採光部１３と、採光部１３から天井裏まで鉛直方向に延びる鉛直導光部１４と、鉛直導光部１４の端部に接続された放光部材１とを備えている。採光部１３は、鉛直方向に延在されており、その側面から光を採り込む。採光部１３および鉛直導光部１４の内壁面は鏡面になっており、採り込んだ光を内壁面で全反射させながら、鉛直導光部１４の下方に光を導光する。放光部材１は水平方向に配置されており、光取り出し部３は、部屋の天井面から部屋内を照明するように配置されている。
【００５２】
図１１Ｂの採光システム１１は、家屋１２の外壁面に採光部１３が設けられており、採光部１３には放光部材１が直接あるいは鉛直導光部１４を介して接続されている。放光部材１の光取り出し部３は、部屋内の壁に沿って配置されており、壁から部屋内を照明するようになっている。
【００５３】
なお、本実施形態に係る採光システム１１の構成は、図１１Ａおよび図１１Ｂに図示したものに限定されるものではなく、種々の構成を取り得る。
【００５４】
このように、本実施形態に係る放光部材１は、導光部２の光出射口２ｂから出射された光を直接あるいは拡散反射面５で反射させて光取り出し部３に導光し、光取り出し部３には複数の拡散部材４を離隔して配置するため、任意の拡散部材４に入射された光を拡散反射させて、光取り出し部３から出射させることができる。これにより、導光部２の口径が限られていても、光取り出し部３から広い範囲に光を出射させることができ、光取り出し部３から出射される光によって眩しさを感じさせるおそれがない。また、光取り出し部３から出射された光で照明されるエリア内の明るさを均一化することができる。
【００５５】
さらに、複数の拡散部材４のピッチＰと高さＨとを、上述した（１）式の関係を満たすように設定することで、隣接する拡散部材４の間をすり抜ける光を防止でき、より防眩性を向上できる。
【実施例】
【００５６】
（第１実施例）
図１２Ａは第１実施例に係る放光部材１の斜視図、図１２Ｂは第１実施例による拡散部材４のピッチＰと高さＨの大きさを示す図ある。図１２Ａおよび図１２Ｂの放光部材１は、図１と同様に、平らな薄板からなる拡散反射面５を有し、拡散反射面５と光取り出し部３との距離は、導光部２から遠ざかるにつれて小さくなっている。すなわち、放光部材１は、楔形の構造を有する。
【００５７】
第１実施例に係る放光部材１における導光部２の厚さＴは１０ｃｍ、導光部２の奥行き（幅）Ｗは１００ｃｍ、導光部２の光出射口２ｂのＸ方向長さＬは５０ｃｍ、複数の拡散部材４のピッチＰは１ｃｍ、各拡散部材４の高さＨは１ｃｍ、各拡散部材４の表面と拡散反射面５はいずれも全反射率９５％（吸収５％）の完全拡散面とする。
【００５８】
図１２Ａにおける複数の拡散部材４のうち、導光部２に最も近い拡散部材４をＡ点、Ｘ方向の中間位置の拡散部材４をＢ点、導光部２から最遠方の拡散部材４をＣ点とする。図１３はＡ，Ｂ，Ｃ点を通過する光の特性を示す図である。
【００５９】
Ａ点は、ｘ＝１０ｃｍであり、Ａ点に入射される光の入射角度θは４５度、（１）式に示すＰ／Ｈ＝１となり、ｔａｎθ以下となる。よって、Ａ点に入射される光は、必ずＡ点の拡散部材４に入射されることになる。
【００６０】
Ｂ点は、ｘ＝３５ｃｍであり、Ｂ点に入射される光の入射角度θは７４．１度、（１）式に示すＰ／Ｈ＝１となり、ｔａｎθ以下となる。よって、Ｂ点に入射される光は、必ずＢ点の拡散部材４に入射されることになる。
【００６１】
Ｃ点は、ｘ＝６０ｃｍであり、Ｃ点に入射される光の入射角度θは８０．５度、（１）式に示すＰ／Ｈ＝１となり、ｔａｎθ以下となる。よって、Ｃ点に入射される光は、必ずＢ点の拡散部材４に入射されることになる。
【００６２】
このように、第１実施例に係る放光部材１の場合、導光部２を通過した光は、いずれかの拡散部材４に入射されて、拡散反射されて、光取り出し部３から出射される。このため、光取り出し部３から出射されて照明される照明エリアの光照度を均一化することができる。
【００６３】
なお、第１実施例に係る放光部材１における複数の拡散部材４は、鋼板をベース部材として、鋼板の両面に白色ＰＥＴを貼り付けた後、短冊状に切断して、個々の拡散部材４を作製した。白色ＰＥＴの材料としては、１００ミクロン厚の帝人デュポンフィルム社製の帝人テトロンフィルムＵＸシリーズを用いた。拡散反射面５は、鋼板に拡散部材４と同じ材料である白色ＰＥＴを貼り付けて形成した。導光部２は、銀を蒸着成膜した鋼板を折り曲げて作製した。
【００６４】
第１実施例に係る放光部材１を、光取り出し部３に複数の拡散部材４がない構造の一比較例に係る放光部材１と比較した。この結果、一比較例に係る放光部材１では、導光部２から直接、光取り出し部３を通過する直達光の割合が多く、眩しさを感じた。また、光取り出し部３から出射される光の出射方向も限定されており、広い範囲を照明することはできなかった。これに対して、第１実施例に係る放光部材１では、光取り出し部３から広い範囲に均一な光量の光が出射され、眩しさを感じることもなかった。
【００６５】
（第２実施例）
図１４は第２実施例に係る放光部材１の斜視図である。図１４の放光部材１は、外観形状は図１２の放光部材１と同じであるが、拡散反射面５の白色ＰＥＴの表面にスクリーン印刷で模様５ａを描画している。インキが塗布された箇所は、拡散反射性能が低下するため、インキを塗布する面積を限定するのが望ましい。インキが塗布された箇所とインキが塗布されていない箇所とでは、拡散反射性能が相違するため、拡散反射面５に入射された光が模様となって、光取り出し部３を介して視認される。例えば、図１４の放光部材１を部屋の天井面に配置した場合、放光部材１が光を採り込んだ場合には、その光によって拡散反射面５上に塗布された模様５ａを部屋内で視認することができる。
【００６６】
放光部材１が太陽光のみを採り込む場合は、昼間だけ模様を視認できることになる。放光部材１が太陽光と室内光を採り込むことができる場合は、昼間と夜間で、模様に照射される光量や光の入射方向が変わるため、昼間と夜間で模様の見え方を変えることができる。
【００６７】
なお、拡散反射面５上に描画する模様の種類は特に問わない。絵や画像、文字、記号、数字など、模様の具体的な形態は問わない。
【００６８】
また、拡散反射面５上の模様の描画位置に合わせて、光取り出し部３における拡散部材４のピッチＰや高さＨを調整してもよい。
【００６９】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７０】
１  放光部材、２  導光部、３  光取り出し部、４  拡散部材、５  拡散反射面、１１  採光システム、１２  家屋、１３  採光部、１４  鉛直導光部
【図１】
2017130308.tif 000003
【図２Ａ】
2017130308.tif 000004
【図２Ｂ】
2017130308.tif 000005
【図３】
2017130308.tif 000006
【図４】
2017130308.tif 000007
【図５】
2017130308.tif 000008
【図６】
2017130308.tif 000009
【図７】
2017130308.tif 000010
【図８】
2017130308.tif 000011
【図９Ａ】
2017130308.tif 000012
【図９Ｂ】
2017130308.tif 000013
【図９Ｃ】
2017130308.tif 000014
【図１０】
2017130308.tif 000015
【図１１Ａ】
2017130308.tif 000016
【図１１Ｂ】
2017130308.tif 000017
【図１２Ａ】
2017130308.tif 000018
【図１２Ｂ】
2017130308.tif 000019
【図１３】
2017130308.tif 000020
【図１４】
2017130308.tif 000021